(57)【要約】【課題】本発明は、位置決めを行うための開口部をプリント配線基板に設ける必要がなく、プリント配線基板に表示装置が実装された後に、その表示装置に装着することが可能な表示装置ホルダーを提供することを目的とする。  【解決手段】本実施形態の表示装置ホルダー１は、引き出し電極３１ｇが取り付けられたプリント配線基板４１の表面から所定の距離を隔てて底面３１ｄが位置する蛍光表示装置３１に装着され、背面３１ｂと対向する矩形板状の本体板部１１と、背面側に向けて延びて成り、蛍光表示装置３１の倒れを防止する倒れ防止部１４と、蛍光表示装置３１の正面側に向けて延びて成り、プリント配線基板４１に接するスライド面１３ｂ及び底面３１ｄに接する支持面１３ａを有する支持部１３と、蛍光表示装置３１の正面側に向けて延びて成り、底面３１ｄと接するロック面１２ｂ及び蛍光表示装置３１を係止する係止爪１２ａを有する弾性のロック部１２と、を有して成る構成とされている。【選択図】図１
2007322768.tif 000002
【特許請求の範囲】
【請求項１】
正面側に表示部を備えるとともに、プリント配線基板にその引き出し電極が取り付けられ、該プリント配線基板の表面から所定の距離を隔ててその底面が位置する表示装置に装着される表示装置ホルダーであって、
該表示装置への装着の際に、該表示装置の背面と対向する矩形板状の本体板部と、該本体板部の背面側に向けて延びて成り、前記表示装置の倒れを防止する倒れ防止部と、前記本体板部から前記表示装置の正面側に向けて延びて成り、前記プリント配線基板に接するスライド面及び前記表示装置の底面に接する支持面を有する支持部と、前記本体板部から前記表示装置の正面側に向けて延びて成り、前記表示装置の底面と接するロック面及び前記表示装置を係止する係止爪を有する弾性のロック部と、を有して成り、
前記ロック部は、前記表示装置の側面と対向する位置に側面部材を備えることを特徴とする表示装置ホルダー。
【請求項２】
正面側に表示部を備えるとともに、プリント配線基板にその引き出し電極が取り付けされ、該プリント配線基板の表面から所定の距離を隔ててその底面が位置する表示装置に装着される表示装置ホルダーであって、
該表示装置への装着の際に、該表示装置の背面と対向する矩形板状の本体板部と、該本体板部の背面側に向けて延びて成り、前記表示装置の倒れを防止する倒れ防止部と、前記本体板部から前記表示装置の正面側に向けて延びて成り、前記プリント配線基板に接するスライド面及び前記表示装置の底面に接する支持面を有する支持部と、前記本体板部から前記表示装置の正面側に向けて延びて成り、前記表示装置の底面と接するロック面及び前記表示装置を係止する係止爪を有する弾性のロック部と、を有して成ることを特徴する表示装置ホルダー。
【請求項３】
前記ロック部は、前記表示装置の側面と対向する位置に側面部材を備えることを特徴とする請求項２に記載の表示装置ホルダー。
【発明の詳細な説明】
【技術分野】
【０００１】
本発明は、プリント配線基板に実装される蛍光表示管などの表示装置を支えるための
表示装置ホルダーに関するものである。
【背景技術】
【０００２】
従来より、表示装置ホルダーは、ＤＶＤ記録再生装置やＤＶＤ再生装置などの電子機器の筐体内に配置されたプリント配線基板に実装され、その前面パネルの表示部となる蛍光表示管を支持するために用いられている。
【０００３】
図２（ａ）〜（ｃ）は、プリント配線基板に実装された蛍光表示管を支持する従来の表示装置ホルダーを模式的に示す図である。図２（ａ）は、その従来の表示装置ホルダーの上面図、図２（ｂ）は、その従来の表示装置ホルダーの正面図、図２（ｃ）は、図２（ｂ）の矢印Ａ側から見た場合のその従来の表示装置ホルダーの側面図である。
【０００４】
図２（ａ）〜（ｃ）に示すように、従来の表示装置ホルダー７１は、合成樹脂などから形成され、本体板部７５、一対の側板部７６、一対の前面ガイド部７７、一対の支持部７２、一対の係止部７３、一対の脚部７４から成る。従来の表示装置ホルダー７１において、蛍光表示管８１の底面８２の両端部分を支えるための支持部７２から下方に延びる係止部７３は、プリント配線基板９１の２つの開口部９２に差し込まれてプリント配線基板９１に係止するものである。これにより、表示装置ホルダー７１がプリント配線基板９１の所望の位置に位置決めされる。また、支持部７２は、表示装置ホルダー７１の本体板部７５、一対の側板部７６、及び一対の前面ガイド部７７に囲まれる領域に蛍光表示管８１が挿入され、引き出し電極８３が対応するプリント配線基板９１の穴に挿入されたとき、蛍光表示管８１の底面８２を支持する。また、本体板部７５の背面側及び支持部７２から延びて成る脚部７４は、プリント配線基板９１に接し、背面側への表示装置ホルダー７１の倒れを防止しつつ表示装置ホルダー７１を支持するものである。
【０００５】
また、蛍光表示管８１のプリント配線基板９１への実装の際には、まず、このような従来の表示装置ホルダー７１は、その係止部７３がプリント配線基板９１の開口部９２に挿入された後にプリント配線基板９１に係止されてプリント配線基板９１に取り付けられる。続いて、蛍光表示管８１は、本体板部７５、一対の側板部７６、及び一対の前面ガイド部７７に囲まれる領域に、その表示部８４が正面側に向くように引き出し電極８３側から挿入される。そして、蛍光表示管９１の引き出し電極８３が対応するプリント配線基板９１の穴に挿入された後に、各引き出し電極８３がプリント配線基板９１に半田付けされることで、蛍光表示管９１のプリント配線基板９１への実装が完了する。
【０００６】
なお、表示装置ホルダーに関係する従来技術としては、例えば、特許文献１に開示・提案されている。
【特許文献１】特開２００５−３４５７６３号公報
【発明の開示】
【発明が解決しようとする課題】
【０００７】
確かに、従来の表示装置ホルダー７１であれば、プリント配線基板９１に実装された蛍光表示管８１を支持するとともに、その背面側への倒れを防止することが可能である。
【０００８】
しかしながら、従来の表示装置ホルダー７１では、蛍光表示管８１のプリント配線基板９１への実装の際には、表示装置ホルダー７１がプリント配線基板９１に取り付けられた後に、蛍光表示管８１がプリント配線基板９１に実装されるため、例えば、同じ性能のＤＶＤ記録再生装置の製造において、バイヤーごとに蛍光表示管８１への表示装置ホルダー７１の取り付けの有無が指示された際には、開口部９２を備えたプリント配線基板９１に従来の表示装置ホルダー７１を取り付けた後に蛍光表示管８１を実装する場合と、開口部９２のないプリント配線基板９１に蛍光表示管８１を実装する場合と、の２通りとなってしまい、先にプリント配線基板９１に蛍光表示管８１を実装し、バイヤーの要望に応じて表示装置ホルダーを蛍光表示管８１に取り付けるという効率的で自由度のある製造を行うことができなかった。
【０００９】
また、従来の表示装置ホルダー７１では、プリント配線基板９１に蛍光表示管８１が実装された後に、バイヤーによって表示装置ホルダー７１の取り付けが要求された場合には、その要求に応じて表示装置ホルダー７１を蛍光表示管８１に取り付けることができなかった。また、従来の表示装置ホルダー７１の係止部用にプリント配線基板９１に開口部９２を設ける必要があり、設計及び製造にコストがかかっていた。
【００１０】
本発明は、上記の課題に鑑み、その位置決めを行うための開口部をプリント配線基板に設ける必要がなく、プリント配線基板に表示装置が実装された後に、その表示装置に装着することが可能な表示装置ホルダーを提供することを目的とする。
【課題を解決するための手段】
【００１１】
上記目的を達成するために、本発明に係る表示装置ホルダーは、正面側に表示部を備えるとともに、プリント配線基板にその引き出し電極が取り付けられ、該プリント配線基板の表面から所定の距離を隔ててその底面が位置する表示装置に装着されるものであり、該表示装置への装着の際に、該表示装置の背面と対向する矩形板状の本体板部と、該本体板部の背面側に向けて延びて成り、前記表示装置の倒れを防止する倒れ防止部と、前記本体板部から前記表示装置の正面側に向けて延びて成り、前記プリント配線基板に接するスライド面及び前記表示装置の底面に接する支持面を有する支持部と、前記本体板部から前記表示装置の正面側に向けて延びて成り、前記表示装置の底面と接するロック面及び前記表示装置を係止する係止爪を有する弾性のロック部と、を有して成り、前記ロック部は、前記表示装置の側面と対向する位置に側面部材を備える構成とされている。
【００１２】
このような構成とすることにより、本発明の表示装置ホルダーは、プリント配線基板に取り付けられた表示装置に装着することが可能となる。これにより、先にプリント配線基板に表示装置を実装し、バイヤーの要望に応じて表示装置ホルダーを表示装置に取り付けるという効率的で自由度のある製造を行うことが可能となる。また、プリント配線基板に表示装置ホルダーの位置決め用の開口部を設ける必要がない。そのため、プリント配線基板の設計及び製造に対するコストを低減することが可能となる。また、表示装置ホルダーの表示装置の側面方向へのズレを防止することが可能となる。
【００１３】
本発明に係る表示装置ホルダーは、正面側に表示部を備えるとともに、プリント配線基板にその引き出し電極が取り付けされ、該プリント配線基板の表面から所定の距離を隔ててその底面が位置する表示装置に装着されるものであり、該表示装置への装着の際に、該表示装置の背面と対向する矩形板状の本体板部と、該本体板部の背面側に向けて延びて成り、前記表示装置の倒れを防止する倒れ防止部と、前記本体板部から前記表示装置の正面側に向けて延びて成り、前記プリント配線基板に接するスライド面及び前記表示装置の底面に接する支持面を有する支持部と、前記本体板部から前記表示装置の正面側に向けて延びて成り、前記表示装置の底面と接するロック面及び前記表示装置を係止する係止爪を有する弾性のロック部と、を有して成る構成とされている。
【００１４】
このような構成とすることにより、本発明の表示装置ホルダーは、プリント配線基板に取り付けられた表示装置に装着することが可能となる。これにより、先にプリント配線基板に表示装置を実装し、バイヤーの要望に応じて表示装置ホルダーを表示装置に取り付けるという効率的で自由度のある製造を行うことが可能となる。また、プリント配線基板に表示装置ホルダーの位置決め用の開口部を設ける必要がない。そのため、プリント配線基板の設計及び製造に対するコストを低減することが可能となる。
【００１５】
また、上記構成から成る表示装置ホルダーの前記ロック部は、前記表示装置の側面と対向する側面部材を備える構成とされている。このような構成とすることにより、表示装置ホルダーの表示装置の側面方向へのズレを防止することが可能となる。
【発明の効果】
【００１６】
上記したように、本発明に係る表示装置ホルダーであれば、その位置決めを行うための開口部をプリント配線基板に設ける必要がなく、プリント配線基板に表示装置が実装された後に、その表示装置に装着することが可能となる。
【発明を実施するための最良の形態】
【００１７】
以下、本発明の実施形態について図面を参照して説明する。図１は、プリント配線基板に実装された蛍光表示管を支持する本実施形態の表示装置ホルダーを模式的に示す図である。また、図１（ａ）は、その表示装置ホルダーの上面図、図１（ｂ）は、その表示装置ホルダーの正面図、図１（ｃ）は、図１（ｂ）の矢印Ｂ側から見た場合のその表示装置ホルダーの側面図、図１（ｄ）は、図１（ａ）に示す破線ＹＹでの断面を矢印Ｃ方向から見た場合の側面図である。なお、後述する本実施形態の表示装置ホルダー、蛍光表示管及びプリント配線基板は、例えば、電子機器であるＤＶＤ記録再生装置の筐体内に搭載されるものである。なお、蛍光表示管に画像が表示される表示部側を正面側とする。
【００１８】
図１（ａ）〜（ｄ）に示すように、プリント配線基板４１には、図示していないが、各種電子部品を実装するためのプリント配線が形成されている。また、蛍光表示管３１は、矩形板状からなり、正面３１ａと、この正面に対向する背面３１ｂと、互いに対向する一対の側面３１ｃと、プリント配線基板４１に実装された際にプリント配線基板４１と対向する底面３１ｄと、その底面３１ｄと対向する上面３１ｅと、を有して成る。また、蛍光表示管３１の正面３１ａは、所定の画像を表示するための表示部３１ｆを有し、蛍光表示管３１は、底面３１ｄから引き出された複数の引き出し電極３１ｇを有して成る。
【００１９】
このように構成されたプリント配線基板４１及び蛍光表示管３１において、蛍光表示管３１は、その電極３１ｇがそれぞれ対応するプリント配線基板４１の所望の位置に設けられた穴（不図示）にその表示部３１ｆが正面側を向くように挿入された後に半田付けされることで、プリント配線基板４１に実装される。なお、このとき、プリント配線基板４１の蛍光表示管３１側の面の表面から所定の距離を隔てた位置に蛍光表示管３１の底面３１ｄが位置している。
【００２０】
本実施形態の表示装置ホルダー１は、図１に示すように、本体板部１１と、一対のロック部１２、一対の支持部１３、倒れ防止部１４、一対の側面部材１５と、を有して成る。また、ホルダー１は、合成樹脂などの絶縁性の部材から成る。
【００２１】
本体板部１１は、蛍光表示管３１への表示装置ホルダー１の装着の際に、蛍光表示管３１の背面３１ｂと対向する矩形板状の形状であり、その長手方向の長さが、蛍光表示管３１の対向する側面３１ｃ間の長さよりも若干長く形成されている。
【００２２】
また、ロック部１２のそれぞれは、本体板部１１の正面側の面１１ａにおける下方側の両端部分から、本体板部１１の面１１ａに対して略垂直で正面側に向けて延びて成るように形成されている。
【００２３】
各ロック部１２は、蛍光表示管３１への表示装置ホルダー１の装着の際に、蛍光表示管３１を係止するためにその先端に設けられた係止爪１２ａと、蛍光表示管３１の底面３１ｄに接する面であるロック面１２ｂと、を有する。また、各ロック部１２は、表示装置ホルダー１が蛍光表示管３１の背面３１ｂの側から装着される際に、係止爪１２ａが蛍光表示管３１の底面３１ｄを超えて蛍光表示管３１の正面３１ａと係止が可能となるように弾性を有している。
【００２４】
また、各ロック部１２は、表示装置ホルダー１の蛍光表示管３１の長手方向（すなわち、側面３１ｃ方向）へのズレを防止するために、各ロック部１２の外側の側面１２ｃに側面部材１５を備えている。
【００２５】
また、支持部１３のそれぞれは、本体板部１１の正面側の面１１ａにおける下方側でロック部１２よりも内側の部分から、本体板部１１の面１１ａに対して略垂直で正面側に向けて延びて成るとともに、表示装置ホルダー１が蛍光表示管３１に装着された際に、蛍光表示管３１の底面３１ｄに接する面である支持面１３ａと、プリント配線基板に接するスライド面１３ｂと、を有する。また、支持面１３ａは、ロック上面部１２ｂと同一平面になるように形成されている。すなわち、一対の支持部１３は、表示装置ホルダー１が蛍光表示管３１に装着された際に、蛍光表示管３１の底面３１ｄと接触して蛍光表示管３１を支持するとともに、ホルダー１を支える役割を担っている。
【００２６】
また、倒れ防止部１４は、蛍光表示管３１に表示装置ホルダー１が装着された際に、倒れ防止部１４の下面がプリント配線基板４１に接するように、本体板部１１の背面側の面１１ｂの中央付近から背面側に向けて延びて成るように形成されている。これにより、蛍光表示管３１が振動等により背面側に倒れてしまうことを防止することが可能となる。なお、例えば、ＤＶＤ記録再生装置の筐体内において、蛍光表示管３１の正面側には、前面パネル（不図示）が配置されており、その前面パネルが蛍光表示管３１の正面側への倒れを防止している。
【００２７】
次に、プリント配線基板４１に実装された蛍光表示管３１への本実施形態の表示装置ホルダー１の装着方法について以下に説明を行う。まず、表示装置ホルダー１の本体板部１１の面１１ａが、正面側を向くようにして蛍光表示管３１の背面３１ｅに配置される。続いて、ロック部１２及び支持部１３がプリント配線基板４１と蛍光表示管３１との間に挿入するように、表示装置ホルダー１が蛍光表示管３１の背面３１側に向けて押される。このとき、各ロック部１２は、弾性を有しているため、各ロック部１２が変形し、各係止爪１２ａが蛍光表示管３１の底面３１ｄを背面側から正面側へ通過すると、各ロック部１２が元の形に戻り、ロック面１２が蛍光表示管３１の底面３１ｄと接触するとともに、各係止爪１２ａが蛍光表示管３１の正面３１ａに係止する。また、このとき、支持部１３は、支持面１３ａ及びスライド面１３ｂが、それぞれ蛍光表示管３１の底面３１ｄ及びプリント配線基板４１に接しながら、各係止爪１２ａが蛍光表示管３１の正面３１ａに係止するまで、正面側に向けて押し込まれる。そして、このように、各係止爪１２ａが蛍光表示管３１の正面３１ａに係止すると、表示装置ホルダー１の蛍光表示管３１への装着が完了となる。
【００２８】
上記に説明したように、本実施形態の表示装置ホルダー１であれば、そのロック部１２が弾性を有し、その先端に係止爪１２ａを備えているため、プリント配線基板４１に取り付けられた蛍光表示管３１に装着することが可能となる。これにより、先にプリント配線基板４１に蛍光表示管３１を実装し、バイヤーの要望に応じて表示装置ホルダー１を蛍光表示装置３１に取り付けるという効率的で自由度のある製造を行うことが可能となる。また、本実施形態の表示装置ホルダー１は、プリント配線基板４１に係止してその位置決めを行うための係止部を備えていない構成であるため、プリント配線基板に表示装置ホルダーの位置決め用の開口部を設ける必要がない。そのため、プリント配線基板の設計及び製造に対するコストを低減することが可能となる。また、各ロック部１２が側面部材１５を備えているため、表示装置ホルダー１の蛍光表示管３１の長手方向（すなわち、側面３１ｃ方向）へのズレを防止することが可能となる。
【００２９】
なお、上記の実施形態では、蛍光表示管が用いられたが、蛍光表示管の代わりに、液晶ディスプレイや有機ディスプレイなどの表示装置が用いられてもよい。
【００３０】
また、本実施形態の表示装置ホルダーは、蛍光表示管をプリント配線基板に実装するときのジグとして用いられてもよい。
【００３１】
また、本発明の構成は、上記実施形態のほか、発明の主旨を逸脱しない範囲で種々の変更を加えることが可能である。
【産業上の利用可能性】
【００３２】
本発明は、プリント配線基板に実装される蛍光表示管などの表示装置を支持する表示装置ホルダーに幅広く適用することが可能である。
【図面の簡単な説明】
【００３３】
【図１】は、プリント配線基板に実装された蛍光表示管を支持する本実施形態の表示装置ホルダーを模式的に示す図である。
【図２】は、プリント配線基板に実装された蛍光表示管を支持する従来の表示装置ホルダーを模式的に示す図である。
【符号の説明】
【００３４】
１    表示装置ホルダー
１１    本体板部
１２    ロック部
１２ａ    係止爪
１２ｂ    ロック面
１３、７２    支持部
１３ａ    支持面
１３ｂ    スライド面
１４    倒れ防止部
１５    側面部材
３１、８１    蛍光表示管
３１ａ    正面
３１ｂ    背面
３１ｃ    側面
３１ｄ    底面
３１ｅ    上面
４１、９１    プリント配線基板
７１    従来の表示装置ホルダー
７３    係止部
７４    脚部
７５    本体板部
７６    側板部
７７    前面ガイド部
【図１】
2007322768.tif 000003
【図２】
2007322768.tif 000004